(57)【要約】【課題】携帯端末と利用者間の距離だけではなく、表示画面の向きを一定角度回転させた場合にも音量を制御することが可能な携帯端末の提供。【解決手段】本発明に係る携帯端末は、撮像手段１と、撮像手段１で撮像された画像から被写体と背景の情報量の割合を算出する画像処理手段２と、音量処理手段３と、撮像手段１、画像処理手段２および音量処理手段３を制御し、画像処理手段２で得られる被写体と背景の情報量の割合に基づき音量処理手段３に音量を処理させる主制御手段４とを含む。【選択図】      図１
2010041441.tif 000002
【特許請求の範囲】
【請求項１】
撮像手段と、
前記撮像手段で撮像された画像から被写体と背景の情報量の割合を算出する画像処理手段と、
音量処理手段と、
前記撮像手段、画像処理手段および音量処理手段を制御し、前記画像処理手段で得られる被写体と背景の情報量の割合に基づき前記音量処理手段に音量を処理させる主制御手段とを含むことを特徴とする携帯端末。
【請求項２】
前記主制御手段は特定アプリケーションが選択された場合に前記撮像手段、画像処理手段および音量処理手段を起動することを特徴とする請求項１記載の携帯端末。
【請求項３】
入力キーを備える操作手段と、
前記操作手段の特定入力キーの長押し時間を計測するタイマ手段とを含み、
前記主制御手段は前記操作手段および前記タイマ手段を制御するとともに、前記タイマ手段で計測された前記長押し時間が所定時間以上となり、かつ前記撮像手段で画像を取り込み中の場合に、前記撮像手段に前記画像の取り込みを停止させ、次いで前記音量処理手段に音量を固定させることを特徴とする請求項１または２記載の携帯端末。
【請求項４】
入力キーを備える操作手段と、
前記操作手段の特定入力キーの長押し時間を計測するタイマ手段とを含み、
前記主制御手段は前記操作手段および前記タイマ手段を制御するとともに、前記タイマ手段で計測された前記長押し時間が所定時間以上となり、かつ前記撮像手段で画像を取り込み中ではない場合に、前記撮像手段に画像取り込みを再開させることを特徴とする請求項１または２記載の携帯端末。
【請求項５】
前記被写体は利用者の顔であることを特徴とする請求項１から４いずれかに記載の携帯端末。
【請求項６】
撮像ステップと、
前記撮像ステップで撮像された画像から被写体と背景の情報量の割合を算出する画像処理ステップと、
音量処理ステップと、
前記撮像ステップ、画像処理ステップおよび音量処理ステップを制御し、前記画像処理ステップで得られる被写体と背景の情報量の割合に基づき前記音量処理ステップに音量を処理させる主制御ステップとを含むことを特徴とする携帯端末の音量調節方法。
【請求項７】
前記主制御ステップは特定アプリケーションが選択された場合に前記撮像ステップ、画像処理ステップおよび音量処理ステップを起動することを特徴とする請求項６記載の携帯端末の音量調節方法。
【請求項８】
キー入力を行う操作ステップと、
前記操作ステップの特定入力キーの長押し時間を計測するタイマステップとを含み、
前記主制御ステップは前記操作ステップおよび前記タイマステップを制御するとともに、前記タイマステップで計測された前記長押し時間が所定時間以上となり、かつ前記撮像ステップで画像を取り込み中の場合に、前記撮像ステップに前記画像の取り込みを停止させ、次いで前記音量処理ステップに音量を固定させることを特徴とする請求項６または７記載の携帯端末の音量調節方法。
【請求項９】
入力キーを備える操作ステップと、
前記操作ステップの特定入力キーの長押し時間を計測するタイマステップとを含み、
前記主制御ステップは前記操作ステップおよび前記タイマステップを制御するとともに、前記タイマステップで計測された前記長押し時間が所定時間以上となり、かつ前記撮像ステップで画像を取り込み中ではない場合に、前記撮像ステップに画像取り込みを再開させることを特徴とする請求項６または７記載の携帯端末の音量調節方法。
【請求項１０】
前記被写体は利用者の顔であることを特徴とする請求項６から９いずれかに記載の携帯端末の音量調節方法。
【請求項１１】
撮像ステップと、前記撮像ステップで撮像された画像から被写体と背景の情報量の割合を算出する画像処理ステップと、音量処理ステップとを含む携帯端末の音量調節方法のプログラムであって、
コンピュータに、前記画像処理ステップで得られる被写体と背景の情報量の割合に基づき前記音量処理ステップに音量を処理させるためのプログラム。
【発明の詳細な説明】
【技術分野】
【０００１】
本発明は、携帯端末およびその音量調節方法に関し、特に特定アプリケーション、一例としてワンセグ（１ｓｅｇ．）受信機能を備えた携帯端末およびその音量調節方法に関する。
【背景技術】
【０００２】
現在、携帯電話機をはじめ、ワンセグ等の動画が視聴できる携帯端末が若年層だけでなく幅広い年齢層に普及している。ワンセグとは、１２のセグメント（ｓｅｇｍｅｎｔ）を使用する地上デジタル放送の主番組と同様の放送を１セグメントで送信する携帯端末用テレビ放送のことをいう。
【０００３】
関連する携帯端末では、ワンセグ機能を利用するたびに利用者が手動で音量調節を行っている。また、この携帯端末は音量調節の方法を新たに覚えなければならないという負担を利用者に課している。
【０００４】
一方、この利用者の負担を軽減する発明が特許文献１に開示されている。この発明の主目的は、携帯端末の表示画面の向きを、一例として、９０度回転させた場合でも、表示内容の正立状態を保持させることである。このために、この発明では、携帯端末に備えるカメラを用いて使用者の顔を撮影し、目、鼻、口等の特徴領域を認識し、目、鼻、口等の相対的な位置関係を調べ、顔が正立状態か、あるいは横向き状態か、あるいは逆さの状態かを区別する。そして、顔が正立状態となるように画像表示を制御する。
【０００５】
また、この発明の他の目的は、携帯端末と利用者間の距離に応じて音量を制御することである。このために、この発明では、表示される顔の大きさから携帯端末と利用者との距離を推定し、距離が比較的短い場合は音量を下げ、距離が比較的長い場合は音量を上げるよう音量を制御する。
【０００６】
【特許文献１】特開２００７−０１７５９６号公報
【発明の開示】
【発明が解決しようとする課題】
【０００７】
特許文献１に開示の発明はその主目的が本発明と全く相違するものの、その他の目的が本発明と共通する。すなわち、特許文献１に開示の発明は、カメラで撮影した顔画像に基づいて音量を制御する点で本発明と共通する。この発明では、撮影した顔の大きさに基づいて音量を制御している。
【０００８】
しかし、この発明の場合、撮影した顔の大きさのみに基づいて音量を制御しているため、表示画面の向きを一定角度回転させた場合、それだけでは顔の大きさは変化しないため、音量を変えることができないという欠点がある。
【０００９】
そこで本発明の目的は、携帯端末と利用者間の距離だけではなく、表示画面の向きを一定角度回転させた場合にも音量を制御することが可能な携帯端末およびその音量調節方法を提供することにある。
【課題を解決するための手段】
【００１０】
前記課題を解決するために、本発明による携帯端末は撮像手段と、前記撮像手段で撮像された画像から被写体と背景の情報量の割合を算出する画像処理手段と、音量処理手段と、前記撮像手段、画像処理手段および音量処理手段を制御し、前記画像処理手段で得られる被写体と背景の情報量の割合に基づき前記音量処理手段に音量を処理させる主制御手段とを含むことを特徴とする。
【００１１】
また、本発明による携帯端末の音量調節方法は、撮像ステップと、前記撮像ステップで撮像された画像から被写体と背景の情報量の割合を算出する画像処理ステップと、音量処理ステップと、前記撮像ステップ、画像処理ステップおよび音量処理ステップを制御し、前記画像処理ステップで得られる被写体と背景の情報量の割合に基づき前記音量処理ステップに音量を処理させる主制御ステップとを含むことを特徴とする。
【００１２】
また、本発明による携帯端末の音量調節方法のプログラムは、撮像ステップと、前記撮像ステップで撮像された画像から被写体と背景の情報量の割合を算出する画像処理ステップと、音量処理ステップとを含む携帯端末の音量調節方法のプログラムであって、コンピュータに、前記画像処理ステップで得られる被写体と背景の情報量の割合に基づき前記音量処理ステップに音量を処理させることを特徴とする。
【発明の効果】
【００１３】
本発明によれば、携帯端末と利用者間の距離だけではなく、表示画面の向きを一定角度回転させた場合にも音量を制御することが可能となる。
【発明を実施するための最良の形態】
【００１４】
まず、本発明の実施形態の説明に入る前に、本発明の動作原理について説明しておく。図１は本発明に係る携帯端末の動作原理を説明するための携帯端末の一例の構成図である。同時を参照すると、本発明に係る携帯端末は、撮像手段１と、画像処理手段２と、音量処理手段３と、主制御手段４とを含んで構成される。
【００１５】
撮像手段１は利用者等の被写体を撮影する。画像処理手段２は撮像手段１で撮像された画像から被写体と背景の情報量の割合を算出する。音量処理手段３は音量を処理する。主制御手段４は撮像手段１、画像処理手段２および音量処理手段３を制御し、画像処理手段２で得られる被写体と背景の情報量の割合に基づき音量処理手段３に音量を処理させる。
【００１６】
すなわち、本発明によれば被写体と背景の情報量の割合に基づき音量が処理される。いま、被写体の情報量をＡ（ｂｙｔｅｓ）、背景の情報量をＢ（ｂｙｔｅｓ）と仮定する。情報量の比率Ｒ（＝Ａ／Ｂ）が比較的大きい場合は、携帯端末と利用者間の距離は比較的短いと推定されるため、主制御手段４は音量処理手段３に音量を下げさせる。
【００１７】
一方、情報量の比率Ｒ（＝Ａ／Ｂ）が比較的小さい場合は、携帯端末と利用者間の距離は比較的長いと推定されるため、主制御手段４は音量処理手段３に音量を上げさせる。これにより、距離に応じて音量は適正に制御される。
【００１８】
次に、表示画面の向きを一定角度回転させた場合について考える。利用者が携帯端末の表示画面の向きを一定角度回転させた場合（このとき、携帯端末と利用者間の距離は変化しないものとする）、表示画面上の情報量の比率Ｒは変化する。
【００１９】
具体的には、表示画面の回転角度に応じて被写体の情報量Ａはほとんど変化しないが、背景の情報量Ｂは変化するので、比率Ｒ（＝Ａ／Ｂ）から表示画面の回転角度の推定が可能である。よって、表示画面の回転角度に応じて音量を変化させることが可能となる。
【００２０】
一方、前述の特許文献１に記載の発明の場合、顔の大きさのみに基づき音量を変化させているので、表示画面の向きを一定角度回転させただけでは顔の大きさは変化しないため、音量を変化させることはできない。
【００２１】
以上説明したように、本発明によれば、被写体と背景の情報量の割合に基づき音量を処理する構成を含むため、携帯端末と利用者間の距離だけではなく、表示画面の向きを一定角度回転させた場合にも音量を制御することが可能となる。
【００２２】
以下、本発明の実施形態について説明する。図２は本発明に係る携帯端末の第１実施形態の構成図である。なお、第１実施形態では携帯端末の一例として携帯電話機に本発明を適用した場合について説明する。
【００２３】
同図を参照すると、本発明に係る携帯端末は、アンテナ１１と、通信制御部１２と、操作部１３と、タイマ部１４と、表示部１５と、電源制御部１６と、音声入出力部１７と、プログラム格納部１８と、主制御部１９とを含んでいる。さらに、本発明に係る携帯端末は、正面カメラ部２０と、ワンセグ制御部２１と、画像処理部２２と、画像データ記憶部２３と、音量処理部２４と、音データ記憶部２５と、スピーカ部２６とを含んでいる。
【００２４】
なお、図１の撮像手段１、画像処理手段２、音量処理手段３および主制御手段４は、図２の正面カメラ部２０、画像処理部２２、音量処理部２４および主制御部１９にそれぞれ対応する。
【００２５】
アンテナ部１１は電波を送受信する。通信制御部１２はアンテナ部１１を介して、電波によってデータの送受信を行う。操作部１３はデータを入力するものであり、一例として入力キーを備えている。タイマ部１４は操作部１３の特定キーが一定時間以上押下されているか否かを判別するものである。表示部１５はカラー液晶パネル等により構成され、各種表示を実現する。電源制御部１６は各部位への電源供給や充電等を行う。
【００２６】
音声入出力部１７は音声の入出力を行う。プログラム格納部１８には後述する携帯端末の音量調節方法のプログラムが格納される。正面カメラ部２０は被写体を撮影する。ワンセグ制御部２１は受信した電波を表示部１５に映す。画像処理部２２は画像データ記憶部２３に格納されたデータを用いて被写体（本実施形態では、一例として利用者の顔）と背景を判別する処理を行い、顔と背景のデータ量の割合を算出する。なお、画像データ記憶部２３に格納されたデータから顔を判別する処理には公知の技術を用いる。
【００２７】
画像データ記憶部２３には正面カメラ部２０で撮影された画像が格納される。音量処理部２４は所定の音量データを音データ記憶部２５から読み出し、スピーカ部２６で出力する。音データ記憶部２５には被写体と背景の情報量の割合に応じた音量データが格納されている。スピーカ部２６は音声を出力する。主制御部１９は各部位１２〜１８および２０〜２６を制御する。
【００２８】
次に、本実施形態の動作について説明する。まず、画像検出およびデータ量算出処理の一例について説明する。図３は本発明に係る携帯端末の画像検出およびデータ量算出処理の一例を示すフローチャートである。なお、以下の処理（後述する図４および図５に示す処理も含む）は主制御部１９が各部位１２〜１８および２０〜２６を制御することにより実行される。
【００２９】
まず、操作部１３によりワンセグ視聴モードが選択されると、主制御部１９はワンセグ制御部２１を起動し、ワンセグの視聴を開始させる（ステップＳ１にて“Ｙ”の場合）。次に、主制御部１９は正面カメラ部２０、画像処理部２２および画像データ記憶部２３を起動する（ステップＳ２）。
【００３０】
次に、主制御部１９は正面カメラ部２０に撮像された画像の取り込みを開始させ、取り込んだ画像を画像データ記憶部２３に一時的に格納する（ステップＳ３）。なお、ワンセグ視聴が開始されない場合（ステップＳ１にて“Ｎ”の場合）は、以下に述べる自動音量調節は機能しない。
【００３１】
次に、主制御部１９は、画像処理部２２に対し画像データ記憶部２３に格納された画像データから顔と背景との境界を検出させる（ステップＳ４）。画像処理部２２は色情報および輝度情報を用いて、公知の技術により顔と背景との境界を検出する。
【００３２】
次に、主制御部１９は、画像処理部２２に顔の輪郭を検出させた後に、顔と背景のデータ量を比較させ、顔データの割合を算出させる（ステップＳ５）。次に、主制御部１９は、画像処理部２２での顔データの割合の算出結果を音量調節処理の入力情報として音量処理部２４へ出力する（ステップＳ６）。
【００３３】
次に、自動音量調節処理の一例について説明する。図４は本発明に係る携帯端末の自動音量調節処理の一例を示すフローチャートである。音データ記憶部２５には被写体と背景の情報量の割合に応じて、一例として、１０段階に調節された音量データ（音量１〜１０）が格納されているものとする（ステップＳ１２参照）。いま、被写体と背景の情報量の割合（顔データの割合）をＲ１〜Ｒ１０の１０段階で表し、顔データの割合Ｒ１〜Ｒ１０が音量１〜１０にそれぞれ対応するものとする。
【００３４】
主制御部１９は、音量処理部２４に対し画像処理部２２での顔データの割合の算出結果を入力信号として取り込ませる（ステップＳ１１）。主制御部１９は、音量処理部２４に対し取り込んだ顔データの割合に対応する音量データを音データ記憶部２５から読み出させる（ステップＳ１２）。
【００３５】
すなわち、主制御部１９は、音量処理部２４に対し、一例として、顔データの割合がＲ１の場合は音量１に設定させる（ステップＳ１２−１）。また、顔データの割合がＲ２の場合は音量２に設定させる（ステップＳ１２−２）。また、顔データの割合がＲ３の場合は音量３に設定させる（ステップＳ１２−３）。そして、顔データの割合がＲ１０の場合は音量１０に設定させる（ステップＳ１２−１０）。
【００３６】
なお、顔データの割合がＲ４〜Ｒ９の場合も上記と同様に設定されるため、その説明は省略する。次に、主制御部１９は、音量処理部２４に設定した音量でスピーカ部２６を鳴音させる（ステップＳ１３）。
【００３７】
次に、タイマ部での押下時間測定処理の一例について説明する。図５は本発明に係るタイマ部での押下時間測定処理の一例を示すフローチャートである。まず、主制御部１９は、利用者により操作部１３の特定キーが押下されたか否かを検出する（ステップＳ２１）。操作部１３の特定キーが押下された場合（ステップＳ２１にて“Ｙ”の場合）、主制御部１９は、タイマ部１４を駆動し特定キーが押下された時間を計測する（ステップＳ２２）。
【００３８】
所定時間以上特定キーが押下されており（ステップＳ２３にて“Ｙ”の場合）、かつ正面カメラ部２０にて画像取り込み中の場合（ステップＳ２４にて“Ｙ”の場合）、主制御部１９は、正面カメラ部２０に画像取り込みを停止させる（ステップＳ２５）。次に、主制御部１９は、音量処理部２４に所定時間以上特定キーが押下されたときの音量に音量を固定させる（ステップＳ２６）。これにより、利用者は一定音量で継続してワンセグを視聴することが可能となる。
【００３９】
一方、ステップＳ２１にて、操作部１３の特定キーが押下されない場合（ステップＳ２１にて“Ｎ”の場合）、主制御部１９は特定キーが押下されるまで待機する。また、ステップＳ２３にて、所定時間以上特定キーが押下されていない場合（ステップＳ２３にて“Ｎ”の場合）、主制御部１９は、再度操作部１３の特定キーが押下されるまで待機する。
【００４０】
また、ステップＳ２４にて、正面カメラ部２０にて画像取り込み中ではない場合（ステップＳ２４にて“Ｎ”の場合）、主制御部１９は、正面カメラ部２０に画像取り込みを再開させる（ステップＳ２７）。これにより、利用者は継続してワンセグを視聴することが可能となる。この特定キーの押下によって、利用者は好みの音量に簡単に固定および設定することが可能となる。
【００４１】
以上説明したように、本発明の第１実施形態によれば、携帯端末にてワンセグ視聴等を行う場合、携帯端末と利用者間の距離（正確には正面カメラ部２０と利用者間の距離）を、一例として、腕の屈伸あるいは携帯端末を傾けて撮像される被写体（一例として、顔）と背景との割合を変えることにより、自動的に音量調節を行うことが可能となる。また、携帯端末の利用者が新たに複数のキー操作を覚える必要がないため、より多くの人が簡単に好みの音量に調節することが可能となる。
【００４２】
次に、本発明の第２実施形態について説明する。第２実施形態は携帯端末の音量調節方法のプログラムに関するものである。前述のように、本発明の携帯端末はプログラム格納部１８を含んでいる（図２参照）。プログラム格納部１８には図３〜図５にフローチャートで示す携帯端末の音量調節方法のプログラムが格納されている。
【００４３】
図２の主制御部１９はプログラム格納部１８から携帯端末の音量調節方法のプログラムを読み出し、そのプログラムにしたがって各部位１２〜１８および２０〜２６を制御する。その制御の内容については既に述べたので、ここでの説明は省略する。
【００４４】
以上説明したように、本発明の第２実施形態によれば、携帯端末と利用者間の距離だけではなく、表示画面の向きを一定角度回転させた場合にも音量を制御することが可能な携帯端末の音量調節方法のプログラムが得られる。
【産業上の利用可能性】
【００４５】
携帯端末の他の例として、ＰＨＳ（Ｐｅｒｓｏｎａｌ  ＨａｎｄｙｐｈｏｎｅＳｙｓｔｅｍ）、ＰＤＡ（Ｐｅｒｓｏｎａｌ  Ｄｉｇｉｔａｌ  Ａｓｓｉｓｔａｔ）あるいはパーソナル・コンピュータ（Ｐｅｒｓｏｎａｌ  Ｃｏｍｐｕｔｅｒ）等の個人向け携帯型情報通信機器でカメラ機能およびワンセグ機能を有するものに本発明の適用が可能である。
【図面の簡単な説明】
【００４６】
【図１】本発明に係る携帯端末の動作原理を説明するための携帯端末の一例の構成図である。
【図２】本発明に係る携帯端末の第１実施形態の構成図である。
【図３】本発明に係る携帯端末の画像検出およびデータ量算出処理の一例を示すフローチャートである。
【図４】本発明に係る携帯端末の自動音量調節処理の一例を示すフローチャートである。
【図５】本発明に係るタイマ部での押下時間測定処理の一例を示すフローチャートである。
【符号の説明】
【００４７】
１  撮像手段
２  画像処理手段
３  音量処理手段
４  主制御手段
１１  アンテナ
１２  通信制御部
１３  操作部
１４  タイマ部
１５  表示部
１６  電源制御部
１７  音声入出力部
１８  プログラム格納部
１９  主制御部
２０  正面カメラ部
２１  ワンセグ制御部
２２  画像処理部
２３  画像データ記憶部
２４  音量処理部
２５  音データ記憶部
２６  スピーカ部
【図１】
2010041441.tif 000003
【図２】
2010041441.tif 000004
【図３】
2010041441.tif 000005
【図４】
2010041441.tif 000006
【図５】
2010041441.tif 000007